(57)【要約】【課題】ディスク状の記録媒体の半径方向と直交する方向に関して、スピンドルモータの回転の中心位置とピックアップのレンズとの相対位置を自動的に調整することができ、製造工程にて位置調整を行う必要がないディスク装置を提供する。【解決手段】ピックアップ１０をディスク状記録媒体１００の半径方向へ移動させるメインガイド軸２２をスピンドルモータ４が配された主シャーシ１に対して移動可能に支持された副シャーシ２０に設け、サブガイド軸７を主シャーシ１に設ける。ピックアップ１０がサブガイド軸７に半径方向と直交する方向に関して遊動可能に支持される構成とすることにより、副シャーシ１を半径方向と直交する方向へ移動させて、ピックアップ１０のレンズ１１とスピンドルモータ４の回転の中心位置との位置調整を行うことができる。【選択図】図１
2007128613.tif 000002
【特許請求の範囲】
【請求項１】
ディスク状の記録媒体を装着し回転させる装着回転部と、該装着回転部に装着された記録媒体の半径方向と略平行に配された２本の案内支持軸と、該２本の案内支持軸に摺動可能に支持され、前記装着回転部に装着された記録媒体へビーム光を照射する照射部と、該照射部を前記２本の案内支持軸に沿って移動させる照射部移動手段とを備えるディスク装置において、
前記装着回転部及び前記２本の案内支持軸のうちの一方の案内支持軸が配設された主シャーシと、
該主シャーシに対向配置され、前記２本の案内支持軸のうちの他方の案内支持軸が配設された副シャーシと、
前記主シャーシに設けられ、前記副シャーシを前記半径方向と交差する交差方向に移動可能に支持する支持部とを備え、
前記照射部は、前記一方の案内支持軸に前記交差方向に対して遊動可能に支持されること
を特徴とするディスク装置。
【請求項２】
前記支持部は、前記主シャーシに立設された壁部と、該壁部に前記交差方向へ形成された案内溝とを有し、
前記副シャーシは、前記案内溝に係合する突起部を有する請求項１に記載のディスク装置。
【請求項３】
前記副シャーシには、前記他方の案内支持軸と平行な送りねじと、該送りねじを回転させるモータとが配され、
前記照射部は、前記送りねじと螺合するねじ孔を有し、
前記照射部移動手段は、前記モータを回転させて前記照射部を移動させるようにしてある請求項１又は２に記載のディスク装置。
【請求項４】
前記照射部の位置を検出する位置検出手段と、
該位置検出手段の検出結果に応じて、前記副シャーシを前記交差方向へ移動させる副シャーシ移動手段と
を備える請求項１乃至請求項３のいずれか１つに記載のディスク装置。
【請求項５】
前記主シャーシには、前記交差方向と平行な送りねじと、該送りねじを回転させるモータとが配され、
前記副シャーシは、前記送りねじと螺合するねじ孔を有し、
前記副シャーシ移動手段は、前記モータを回転させて前記副シャーシを移動させるようにしてある請求項４に記載のディスク装置。
【請求項６】
前記照射部は、ビーム光を照射するレンズを複数有し、
複数の前記レンズは、前記交差方向に並設してある請求項１乃至請求項５のいずれか１つに記載のディスク装置。
【請求項７】
複数の前記レンズは、それぞれ異なる種類の記録媒体に対するビーム光を照射するようにしてある請求項６に記載のディスク装置。
【請求項８】
前記装着回転部に装着された記録媒体の種類を判別する判別手段を備え、
前記副シャーシ移動手段は、前記判別手段の判別結果に応じて、前記副シャーシを前記交差方向へ移動させるようにしてある請求項７に記載のディスク装置。
【発明の詳細な説明】
【技術分野】
【０００１】
本発明は、ＣＤ若しくはＤＶＤ等の光ディスク、又はＭＤ若しくはＭＯ等の光磁気ディスク等のディスク状の記録媒体を装着し、データの読み出し又は書き込みを行うディスク装置に関する。
【背景技術】
【０００２】
従来から、光ディスク又は光磁気ディスク等のディスク状記録媒体を装着し、データの読み出し又は書き込みを行うディスク装置が普及している。また、近年においては、ＤＶＤ、ブルーレイディスク及びＨＤ−ＤＶＤ等の大容量の光ディスクが注目されている。
【０００３】
これらの記録媒体に対してのデータの読み出し又は書き込みは、ディスク装置に搭載されたピックアップから記録媒体へビーム光を照射することで行っている。ピックアップは記録媒体の半径方向へ移動することが可能にしてあり、記録媒体へビーム光を照射しながら半径方向へ移動することで、記録媒体に記録されたデータを順次読み出すことができる。このため、記録媒体を回転させるスピンドルモータの回転の中心とピックアップの移動方向との位置決め精度が悪い場合には、記録媒体に対するデータの読み出し及び書き込みの精度が悪化するという問題があった。
【０００４】
特許文献１においては、スピンドルモータとピックアップを移動させるガイド棒との位置決めを高精度に行うことができるディスク装置が提案されている。このディスク装置では、ガイド棒が配設されたメインアッセンブリには、端部にネジ穴を有する円柱状のスペーサが形成され、スピンドルモータが配設されたサブアッセンブリには、長孔が形成されている。サブアッセンブリの長孔にネジを挿通し、メインアッセンブリのスペーサ端部のネジ穴に螺合させて、サブアッセンブリがメインアッセンブリに固定される。長孔の長手方向にサブアッセンブリの固定位置を調整できるため、ピックアップを移動させるガイド棒とスピンドルモータとの相対位置を調整することができる。また、位置の調整には、サブアッセンブリに設けられたスピンドルモータの軸受けとガイド棒とに接触する位置決め用の冶具を用いる。
【０００５】
一方、近年においてはＣＤ、ＤＶＤ及びブルーレイディスク等の複数の種類のディスク状記録媒体に対してデータの読み出し及び書き込みを行うことができるディスク装置が実用化されている。このディスク装置では、例えばＣＤ及びＤＶＤに対するデータの読み出し及び書き込みを行うためのビーム光を照射する第１レンズと、ブルーレイディスクに対するデータの読み出し及び書き込みを行うためのビーム光を照射する第２レンズとを備えており、装着された記録媒体の種類に応じて２つのレンズのいずれか一方を使用する２レンズ方式のピックアップが用いられる。
【０００６】
図８は、従来の２レンズ方式のピックアップの構成を示す模式図である。図において１０１はＣＤ及びＤＶＤ用の第１レンズであり、１０２はブルーレイディスク用の第２レンズである。第１レンズ１０１及び第２レンズ１０２は、回転軸１０４を中心に回転する略円形の回転部１０３に配設されている。なお、回転軸１０４から第１レンズ１０１へ向かう方向と、回転軸１０４から第２レンズ１０２へ向かう方向とが略９０°をなすようにしてある。
【０００７】
例えば、図８（ａ）に示す第２レンズ１０２がブルーレイディスクに対するデータの読み出し又は書き込みを行う位置である場合に、ＣＤ又はＤＶＤに対するデータの読み出し及び書き込みを行うときには、回転部１０３を回転させて第２レンズ１０２の位置に第１レンズ１０１を移動させることで（図８（ｂ）参照）、第１レンズ１０１によるデータの読み出し及び書き込みを行うことができる。
【特許文献１】特開２００３−２３３９４４号公報
【発明の開示】
【発明が解決しようとする課題】
【０００８】
特許文献１に記載のディスク装置においては、ピックアップを移動させるガイド棒とスピンドルモータとの相対位置を調整することができるが、調整に位置決め用の冶具が必要であるため、ディスク装置を組み立てる製造工程にて調整を行う必要があり、ディスク装置の製造コストが増大するという問題がある。また、例えば、ディスク装置の製品出荷後に、ディスク装置に落下の衝撃が加わった場合、製造工程にて調整されたガイド棒及びスピンドルモータの位置にずれが生じる虞があり、位置ずれが生じた場合には、記録媒体に対するデータの読み出し及び書き込みの動作を正常に行うことができなくなるという問題がある。
【０００９】
また、従来の２レンズ方式のピックアップにおいては、回転部１０３を回転させることでレンズの切替を行う構成であるため、回転部１０３の回転の中心とスピンドルモータとの位置決め精度、及び回転部１０３に配設される２つのレンズの位置決め精度等を製造工程にて高精度に製造する必要があり、これらの精度が悪い場合には、記録媒体に対するデータの読み出し及び書き込みの動作を正常に行うことができなくなるという問題がある。また、回転部１０３を備えるため、ピックアップが大型化するという問題があり、これに伴ってピックアップのコストが上昇するという問題がある。
【００１０】
本発明は、斯かる事情に鑑みてなされたものであって、その目的とするところは、記録媒体へビーム光を照射する照射部を記録媒体の半径方向へ移動させる２本の案内支持軸の一方を主シャーシに設け、他方を副シャーシに設けて、副シャーシを記録媒体の半径方向と交差する方向へ移動させる構成とすることにより、記録媒体を装着して回転させる装着回転部の中心と照射部との位置を調整することができるディスク装置を提供することにある。
【００１１】
また本発明の他の目的とするところは、主シャーシに案内溝が形成された壁部を設け、副シャーシに案内溝と係合する突起部を設ける構成とすることにより、副シャーシを案内溝に沿って簡単に移動させることができるディスク装置を提供することにある。
【００１２】
また本発明の他の目的とするところは、副シャーシに案内支持軸と平行な送りねじと、送りねじを回転させるモータとを設け、照射部に送りねじと螺合するねじ孔を形成する構成とすることにより、副シャーシを記録媒体の半径方向と交差する方向に移動させる場合であっても、照射部を記録媒体の半径方向へ確実に移動させることができるディスク装置を提供することにある。
【００１３】
また本発明の他の目的とするところは、照射部の位置を検出し、検出結果に応じて副シャーシを移動させる構成とすることにより、照射部の位置調整を自動的に行うことができるディスク装置を提供することにある。
【００１４】
また本発明の他の目的とするところは、主シャーシに記録媒体の半径方向と交差する方向に送りねじを設け、副シャーシに送りねじと螺合するねじ孔を形成し、送りねじをモータにて回転させて副シャーシを移動させる構成とすることにより、照射部の位置検出の結果に応じて確実に副シャーシを移動させ、照射部の位置調整を行うことができるディスク装置を提供することにある。
【００１５】
また本発明の他の目的とするところは、照射部に複数のレンズを記録媒体の半径方向と交差する方向に並設する構成とすることにより、副シャーシを移動させることで使用するレンズの切り替えを行うことができるディスク装置を提供することにある。
【００１６】
また本発明の他の目的とするところは、複数のレンズを、例えばＣＤ用、ＤＶＤ用又はブルーレイディスク用等の異なる種類の記録媒体に対するビーム光を照射するためのレンズとすることで、１つの装置で複数種類の記録媒体に対するデータの読み出し及び書き込みを行うことができるディスク装置を提供することにある。
【００１７】
また本発明の他の目的とするところは、装着回転部に装着された記録媒体の種類を判別し、記録媒体の種類に応じて副シャーシを移動させる構成とすることにより、記録媒体の種類に応じて複数のレンズを最適なレンズに自動的に切り替えることができるディスク装置を提供することにある。
【課題を解決するための手段】
【００１８】
本発明に係るディスク装置は、ディスク状の記録媒体を装着し回転させる装着回転部と、該装着回転部に装着された記録媒体の半径方向と略平行に配された２本の案内支持軸と、該２本の案内支持軸に摺動可能に支持され、前記装着回転部に装着された記録媒体へビーム光を照射する照射部と、該照射部を前記２本の案内支持軸に沿って移動させる照射部移動手段とを備えるディスク装置において、前記装着回転部及び前記２本の案内支持軸のうちの一方の案内支持軸が配設された主シャーシと、該主シャーシに対向配置され、前記２本の案内支持軸のうちの他方の案内支持軸が配設された副シャーシと、前記主シャーシに設けられ、前記副シャーシを前記半径方向と交差する交差方向に移動可能に支持する支持部とを備え、前記照射部は、前記一方の案内支持軸に前記交差方向に対して遊動可能に支持されることを特徴とする。
【００１９】
本発明においては、照射部は、主シャーシ及び副シャーシにそれぞれ設けられた案内支持軸に支持され、主シャーシに設けられた案内支持軸に対しては、記録媒体の半径方向に交差する方向へ移動可能であるため、副シャーシを移動させることで照射部を半径方向に交差する方向へ移動することができ、照射部の位置調整を行うことができる。
【００２０】
また、本発明に係るディスク装置は、前記支持部が、前記主シャーシに立設された壁部と、該壁部に前記交差方向へ形成された案内溝とを有し、前記副シャーシは、前記案内溝に係合する突起部を有することを特徴とする。
【００２１】
本発明においては、主シャーシに案内溝が形成された壁部を設け、副シャーシに案内溝に係合する突起部を設ける。副シャーシの突起部を壁部の案内溝に挿入して係合させることで副シャーシを支持することができ、また、案内溝に沿って副シャーシを移動させることができる。案内溝を記録媒体の半径方向と交差する方向へ形成しておくことで、副シャーシを半径方向と交差する方向へ移動させることができる。
【００２２】
また、本発明に係るディスク装置は、前記副シャーシには、前記他方の案内支持軸と平行な送りねじと、該送りねじを回転させるモータとが配され、前記照射部は、前記送りねじと螺合するねじ孔を有し、前記照射部移動手段は、前記モータを回転させて前記照射部を移動させるようにしてあることを特徴とする。
【００２３】
本発明においては、副シャーシに設けられた送りねじと、照射部に形成されたねじ孔とを螺合させることにより、副シャーシに設けられたモータにより送りねじを回転させて照射部を記録媒体の半径方向へ移動させ、記録媒体に記録されたデータの読み出し及び書き込みを行うことができる。
【００２４】
また、本発明に係るディスク装置は、前記照射部の位置を検出する位置検出手段と、該位置検出手段の検出結果に応じて、前記副シャーシを前記交差方向へ移動させる副シャーシ移動手段とを備えることを特徴とする。
【００２５】
本発明においては、照射部の位置を検出し、検出結果に応じて副シャーシを移動させる。自動的に照射部の位置調整を行うことができ、製造工程において位置調整を行う必要がない。
【００２６】
また、本発明に係るディスク装置は、前記主シャーシには、前記交差方向と平行な送りねじと、該送りねじを回転させるモータとが配され、前記副シャーシは、前記送りねじと螺合するねじ孔を有し、前記副シャーシ移動手段は、前記モータを回転させて前記副シャーシを移動させるようにしてあることを特徴とする。
【００２７】
本発明においては、主シャーシに設けられた送りねじと、副シャーシに形成されたねじ孔とを螺合させ、主シャーシに設けられたモータにより送りねじを回転させることで、副シャーシが記録媒体の半径方向と交差する方向へ移動する。また、モータの回転を停止した場合には、副シャーシの移動を確実に停止させることができる。
【００２８】
また、本発明に係るディスク装置は、前記照射部が、ビーム光を照射するレンズを複数有し、複数の前記レンズは、前記交差方向に並設してあることを特徴とする。
【００２９】
本発明においては、上述の副シャーシを半径方向と交差する方向へ移動させる機構を用いることにより、記録媒体の半径方向と交差する方向に照射部に並設された複数のレンズを切り替えて使用することができる。よって、回転装着部の回転の中心と照射部との位置を調整する機構と、複数のレンズを切り替える機構とが同じ機構で実現できる。
【００３０】
また、本発明に係るディスク装置は、複数の前記レンズが、それぞれ異なる種類の記録媒体に対するビーム光を照射するようにしてあることを特徴とする。
【００３１】
本発明においては、異なる種類の記録媒体に対するビーム光を照射するためのレンズを照射部に並設する。これにより、回転装着部の回転の中心と照射部との位置を調整する機構を利用して、１つのディスク装置で複数の記録媒体に対するデータの読み出し及び書き込みを行うことができる。
【００３２】
また、本発明に係るディスク装置は、前記装着回転部に装着された記録媒体の種類を判別する判別手段を備え、前記副シャーシ移動手段は、前記判別手段の判別結果に応じて、前記副シャーシを前記交差方向へ移動させるようにしてあることを特徴とする。
【００３３】
本発明においては、装着回転部に装着された記録媒体の種類を判別し、記録媒体の種類に応じて副シャーシを移動させる。これにより、異なる種類の記録媒体に対するビーム光をそれぞれ照射するための複数のレンズを、記録媒体に最適なレンズに自動的に切り替えることができる。
【発明の効果】
【００３４】
本発明による場合は、記録媒体へビーム光を照射する照射部を記録媒体の半径方向へ移動させる２本の案内支持軸の一方を主シャーシに設け、他方を副シャーシに設けて、副シャーシを記録媒体の半径方向と交差する方向へ移動させる構成とすることにより、副シャーシを移動させることで照射部を半径方向に交差する方向へ移動することができるため、副シャーシの移動をモータなどで行って照射部の位置調整を行うことができ、この場合には、ディスク装置の製造工程で照射部の位置調整を行う必要がなくなるため、製造コストを低減できる。
【００３５】
また、本発明による場合は、主シャーシに案内溝が形成された壁部を設け、副シャーシに案内溝と係合する突起部を設ける構成とすることにより、副シャーシの突起部を壁部の案内溝に挿入して係合させることで副シャーシを支持することができ、また、案内溝に沿って副シャーシを記録媒体の半径方向と交差する方向へ移動させることができるため、副シャーシの移動機構を簡単に実現することができ、この機構を設けることによるディスク装置のコスト増を抑えることができる。
【００３６】
また、本発明による場合は、副シャーシに案内支持軸と平行な送りねじと、送りねじを回転させるモータとを設け、照射部に送りねじと螺合するねじ孔を形成する構成とすることにより、副シャーシを記録媒体の半径方向と交差する方向へ移動させる機構を設ける場合であっても、照射部を記録媒体の半径方向へ確実に移動させることができるため、照射部の半径方向と交差する方向に関する位置調整を実現することができる。
【００３７】
また、本発明による場合は、照射部の位置を検出し、検出結果に応じて副シャーシを移動させる構成とすることにより、自動的に照射部の位置調整を行うことができ、製造工程において照射部の位置調整を行う必要がないため、ディスク装置の製造コストを低減することができる。また、ディスク装置の製品出荷後に外部からの衝撃により照射部の位置にずれが生じた場合であっても、自動的にずれを調整できるため、記録媒体に対するデータの読み出し及び書き込みを行えなくなる虞がない。
【００３８】
また、本発明による場合は、主シャーシに記録媒体の半径方向と交差する方向に送りねじを設け、副シャーシに送りねじと螺合するねじ孔を形成し、送りねじをモータにて回転させて副シャーシを移動させる構成とすることにより、照射部の位置検出の結果に応じてモータにより確実に副シャーシを移動させることができ、また、モータの回転を停止した場合には、副シャーシの移動を確実に停止させることができるため、照射部の位置調整を確実に行うことができる。よって、製造工程において照射部の位置調整を行う必要がないため、ディスク装置の製造コストを低減することができ、ディスク装置の製品出荷後に外部からの衝撃により照射部の位置にずれが生じた場合であっても、自動的にずれを調整できる。
【００３９】
また、本発明による場合は、照射部に複数のレンズを記録媒体の半径方向と交差する方向に並設する構成とすることにより、上述の副シャーシを半径方向と交差する方向へ移動させる機構を用いて、複数のレンズを切り替えて使用することができるため、照射部との位置を調整する機構と、複数のレンズを切り替える機構とを同じ機構で実現できる。よって、少ないコスト増で、複数のレンズを備えるディスク装置を実現できる。
【００４０】
また、本発明による場合は、異なる種類の記録媒体に対するビーム光を照射するためのレンズを照射部に並設する構成とすることにより、少ないコスト増で複数種類の記録媒体に対するデータの読み出し及び書き込みを行うことができるディスク装置を実現できる。
【００４１】
また、本発明による場合は、装着回転部に装着された記録媒体の種類を判別し、記録媒体の種類に応じて副シャーシを移動させる構成とすることにより、異なる種類の記録媒体に対するビーム光をそれぞれ照射するための複数のレンズを、記録媒体に最適なレンズに自動的に切り替えることができるため、ディスク装置が異なる種類の記録媒体に対するデータの読み出し及び書き込みを確実に行うことができる。
【発明を実施するための最良の形態】
【００４２】
（実施の形態１）
以下、本発明をその実施の形態を示す図面に基づき具体的に説明する。図１は、本発明の実施の形態１に係るディスク装置の構成を示す模式的平面図である。図において１は略長方形の板状をなす主シャーシであり、主シャーシ１にはＣＤ又はＤＶＤ等のディスク状記録媒体（以下、ディスクという）１００が装着される略円盤形のターンテーブル３、及びターンテーブル３を回転させるスピンドルモータ４が配設されている。また、ディスク装置は、主シャーシ１より小さい略長方形の板状をなす副シャーシ２０を備えており、副シャーシ２０の長辺と主シャーシ１の長辺とが略平行となり、副シャーシ２０の短辺と主シャーシ１の短辺とが略平行となるように、副シャーシ２０は主シャーシ１に対向して配される。
【００４３】
図２は、本発明に係るディスク装置の副シャーシ２０の支持構造を示す模式的斜視図である。副シャーシ２０の短辺側の両側面の略中央には、円棒状の棒状突起部２１、２１がそれぞれ突設されている。また、主シャーシ１には、２つの略長方形板状の壁部３１、３１が、主シャーシ１の短辺と略平行に、副シャーシ２０の長辺の長さより若干長い程度の距離を開けて、それぞれ立設されている。壁部３１、３１には、ターンテーブル３に装着されたディスク１００の記録面に略平行となるように、長円形の案内溝３２、３２がそれぞれ形成されており、副シャーシ２０の棒状突起部２１、２１が壁部３１、３１の案内溝３２、３２に挿入されて、副シャーシ２０は案内溝３２、３２に沿って移動可能に壁部３１、３１に支持される。
【００４４】
また、主シャーシ１には、棒部材にねじ溝が形成された送りねじ３３が、壁部３１、３１の間に、且つ、壁部３１、３１と略平行に配されている。送りねじ３３の一端はモータ３４の回転軸に連結され、図示しない回路基板に設けられた制御回路がモータ３４を回転させて送りねじ３３を回転させるようにしてある。副シャーシ２０の下面（主シャーシ１に対向する面）には、送りねじ３３に螺合するねじ孔２６を副シャーシ２０の短辺方向に形成したナット部２５が、副シャーシ２０の一短辺寄りに設けられている。送りねじ３３にナット部２５のねじ孔２６が螺合することで、モータ３４により送りねじ３３を回転させて副シャーシ２０を、壁部３１、３１の案内溝３２、３２に沿って、シャーシ１の短辺方向に移動させることができるようにしてある。
【００４５】
本発明のディスク装置は、ターンテーブル３に装着されたディスク１００の記録面にビーム光を照射するレンズ１１を有してデータの読み出し及び書き込みを行うピックアップ１０を備えており、ピックアップ１０は、副シャーシ２０に設けられたメインガイド軸２２及び主シャーシ１に設けられたサブガイド軸７によって、ターンテーブル３に装着されたディスク１００の半径方向、且つ、主シャーシ１及び副シャーシ２０の長辺方向へ移動可能に支持され、副シャーシ２０に設けられた送りねじ２３及びモータ２４等によって、メインガイド軸２２及びサブガイド軸７に沿って移動するようにされている。
【００４６】
ピックアップ１０を支持するメインガイド軸２２は丸棒状の部材であり、副シャーシ２０の長辺方向、即ちターンテーブル３に装着されたディスク１００の半径方向に平行な方向に配されている。なお、メインガイド軸２２は、副シャーシ２０に立設された支持部に両端近傍部分がねじ止めされて、副シャーシ２０に支持固定されている。
【００４７】
また、サブガイド軸７は丸棒状の部材であり、副シャーシ２０を上述のとおりに主シャーシ１に対して対向配置した場合に、メインガイド軸２２と略平行となる位置に配されている。即ち、サブガイド軸７もまた、ターンテーブル３に装着されたディスク１００の半径方向に平行な方向に配されている。なお、サブガイド軸７は、主シャーシ１に立設された支持部に両端近傍部分がねじ止めされて、主シャーシ１に支持固定されている。また、主シャーシ１からサブガイド軸７までの高さと、主シャーシ１からメインガイド軸２２までの高さとが略等しくなるように、サブガイド軸７を支持する支持部と、メインガイド軸を支持する支持部との高さが調整してある。
【００４８】
ピックアップ１０は、平面視が略長方形の板状をなしており、ピックアップ１０の一短辺近傍に、一方の長辺側の側面から他方の長辺側の側面へ貫通する円形の貫通孔（図示せず）が形成されている。ピックアップ１０に形成された貫通孔の直径はメインガイド軸２２の直径に略等しく、貫通孔にメインガイド軸２２が挿通されることで、ピックアップ１０はメインガイド軸２２に沿って移動可能に支持される。
【００４９】
また、ピックアップ１０の他短辺側の端部には、平面視が略長方形をなし、ピックアップ１０の長辺側からの側面視が略コ字型をなす挟持部１３が延設されている。挟持部１３が主シャーシ１に設けられたサブガイド軸７を挟持することで、ピックアップ１０がサブガイド軸７に支持されるようにしてある。図３は、本発明に係るディスク装置のピックアップ１０のサブガイド軸７による支持構造を示す模式的斜視図であり、サブガイド軸７を挟持した挟持部１３を拡大して図示してある。
【００５０】
ピックアップ１０に延設された挟持部１３は、延出端側が開口した略コ字型であり、間にサブガイド軸７を挟むことで、ピックアップ１０がサブガイド軸７に支持される。これにより、ピックアップ１０は、サブガイド軸７に沿って、サブガイド軸７の軸長方向に移動させることができ、更に、サブガイド軸７の軸長方向に交差する方向に対しても、挟持部１３の延出長にて限られる範囲内で移動させることができる。
【００５１】
以上のメインガイド軸２２及びサブガイド軸７によるピックアップ１０の支持構造により、ピックアップ１０をメインガイド軸２２及びサブガイド軸７に沿って、ターンテーブル３に装着されたディスク１００の半径方向に移動させることができる。また、副シャーシ２０が主シャーシ１の壁部３１、３１に形成された案内溝３２、３２に沿って移動する場合に、副シャーシ２０に設けられたメインガイド軸２２に支持されたピックアップ１０が副シャーシ２０と共に主シャーシ１の短辺方向、即ちターンテーブル３に装着されたディスク１００の半径方向に直交する方向に移動させることができる。
【００５２】
また、メインガイド軸２２と平行に、棒部材にねじ溝が形成された送りねじ２３が配され、モータ２４の回転軸に連結されている。ピックアップ１０には送りねじ２３に螺合するねじ孔が形成されたナット部１２が設けられ、図示しない回路基板に設けられた制御回路がモータ２４を回転させて送りねじ２３を回転させることにより、ピックアップ１０がメインガイド軸２２及びサブガイド軸７に沿って移動するようにしてある。制御回路は、ターンテーブル３に装着されたディスク１００の読み出し又は書き込み位置に応じてモータ２４を回転させるようにしてある。
【００５３】
図４は、本発明に係るディスク装置の構成を示すブロック図である。ディスク装置はターンテーブル３に装着されたディスク１００に対するデータの読み出し及び書き込み動作を行うために各部の制御を行う制御部４１を備えている。制御部４１は、スピンドルモータ４の回転を制御することで、ターンテーブル３に装着されたディスク１００を回転させることができ、モータ２４の回転を制御することで、ピックアップ１０をメインガイド軸２２及びサブガイド軸７に沿ってディスク１００の半径方向に移動させることができるようにしてある。また、ピックアップ１０を制御してディスク１００の記録面にビーム光を照射し、ビーム光の反射に応じてピックアップ１０から出力される信号をアンプ４２にて増幅することで、ディスク１００からデジタルのデータを読み出すことができる。読み出したデータはフラッシュメモリ４４に蓄えられ、通信Ｉ／Ｆ（インタフェース）４５を介して他の機器へ送られる。
【００５４】
また、ディスク装置はスピンドルモータ４の回転の中心とピックアップ１０に設けられたレンズ１１との、ディスク１００の半径方向に直交する方向に関する相対位置を検出する位置検出部４３を備えている。位置検出は、例えば、ピックアップ１０のレンズ１１から照射されるビーム光から回折格子を用いて１つのメインビーム光及び２つのサブビーム光をつくり、これらのディスク１００での反射光を３分割された光検知器にて受光し、光検知器の３つの受光強度を比較することで行うことができる。制御部４１は、位置検出部４３の検出結果に応じて、ピックアップ１０のレンズ１１の移動軌跡の延長線上にスピンドルモータ４の回転の中心が位置するように（図１に示すＡ−Ａ線参照）、モータ３４の回転を制御して、副シャーシ２０をディスク１００の半径方向に直行する方向へ移動させる。
【００５５】
以上の構成のディスク装置においては、スピンドルモータ４の回転の中心に対するピックアップ１０のレンズ１１の位置にずれが生じた場合には、ピックアップ１０を支持するメインガイド軸２２が設けられた副シャーシ２０を、ターンテーブル３に装着されたディスク１００の半径方向に直交する方向へ移動させ、ピックアップ１０の位置を調整することができる。これにより、ディスク装置の製造工程にて、ピックアップ１０の位置決めを行う必要がないため、製造工程を簡略化でき、製造コストを低減することができる。また、ディスク装置の製品出荷後に、外部からの衝撃によりピックアップ１０の位置にずれが生じた場合であっても、これを自動的に調整することができるため、ディスク１００に対するデータの読み出し及び書き込みを正常に行うことができる。
【００５６】
なお、本実施の形態においては、主シャーシ１に設けた壁部３１、３１に案内溝３２、３２を形成し、案内溝３２、３２に沿って副シャーシ２０をディスク１００の半径方向に直行する方向へ移動させる構成としたが、これに限るものではなく、例えば、ピックアップ１０の移動機構と同様に、副シャーシ２０を支持する２本のガイド軸をメインガイド軸２２及びサブガイド軸７に直交する方向へ設け、副シャーシが２本のガイド軸に沿って移動する構成としてもよい。また、ピックアップ１０の端部に略コ字型の挟持部１３を設けてサブガイド軸７を挟持する構成としたが、これに限るものではなく、例えば、ピックアップ１０の端部にディスク１００の半径方向と直交する方向に長い長孔を形成し、長孔にサブガイド軸７を挿通する構成としてもよい。また、１つのメインビーム光及び２つのサブビーム光の反射光を３分割された光検知器にて受光することにより、位置検出部４３がスピンドルモータ４の回転の中心及びピックアップ１０の位置を検出する構成としたが、これに限るものではなく、その他の方法により位置検出を行う構成であってもよい。
【００５７】
（実施の形態２）
図５及び図６は、本発明の実施の形態２に係るディスク装置の構成を示す模式的平面図である。実施の形態２に係るディスク装置のピックアップ５０には、２つのレンズが搭載されており、一方はＤＶＤに対するデータの読み出し及び書き込みを行うためのビーム光を照射するレンズ５１であり、他方はブルーレイディスクに対するデータの読み出し及び書き込みを行うためのビーム光を照射するレンズ５２である。２つのレンズ５１及び５２は、ピックアップ５０のメインガイド軸２２及びサブガイド軸７に沿って移動する場合の移動方向に直交する方向、即ちターンテーブル３に装着されたディスク１００の半径方向に直交する方向に並べて設けられている。
【００５８】
ターンテーブル３にディスク１００としてＤＶＤが装着された場合、ピックアップ５０をメインガイド軸２２及びサブガイド軸７に沿って移動させたときのレンズ５１の移動軌跡の延長線上にスピンドルモータ４の回転の中心が位置するように、ディスク装置の制御部がモータ３４を回転し、副シャーシ２０を壁部３１、３１の案内溝３２、３２に沿って移動させて、ピックアップ５０をターンテーブル３に装着されたＤＶＤの半径方向に直交する方向へ移動させる（図５参照）。
【００５９】
同様に、ターンテーブル３にディスク１００としてブルーレイディスクが装着された場合、ピックアップ５０をメインガイド軸２２及びサブガイド軸７に沿って移動させたときのレンズ５２の移動軌跡の延長線上にスピンドルモータ４の回転の中心が位置するように、ディスク装置の制御部がモータ３４を回転し、ピックアップ５０をターンテーブル３に装着されたブルーレイディスクの半径方向に直交する方向へ移動させる（図６参照）。
【００６０】
図７は、本発明の実施の形態２に係るディスク装置の制御部が行うレンズの切り替え処理の処理手順を示すフローチャートである。ディスク装置の制御部は、ピックアップ５０の移動方向に関してスピンドルモータ４の回転の中心と並ぶ位置、即ち図５及び図６のＡ−Ａ線上の位置にあるレンズがＤＶＤ用のレンズ５１であるか否かを調べる（ステップＳ１）。
【００６１】
ステップＳ１にて、スピンドルモータ４の回転の中心と並ぶ位置のレンズがＤＶＤ用のレンズ５１である場合（Ｓ１：ＹＥＳ）、レンズ５１からディスク１００へビーム光を照射してデータの読み出しを行い、データが正常に読み出せるか否かによって、ターンテーブル３に装着されたディスク１００がＤＶＤであるか否かを調べる（ステップＳ２）。ターンテーブル３にＤＶＤが装着されていない場合（Ｓ２：ＮＯ）、モータ３４を回転させて副シャーシ２０を移動させ、ピックアップ５０の移動方向に関してスピンドルモータ４の回転の中心と並ぶ位置にブルーレイディスク用のレンズ５２を移動させる（ステップＳ３）。ステップＳ２にてＤＶＤが装着されていた場合（Ｓ２：ＹＥＳ）、又はステップＳ３での副シャーシ２０の移動完了後、ターンテーブル３に装着されたディスク１００に対するデータの読み出し又は書き込みを開始する（ステップＳ６）。
【００６２】
ステップＳ１にて、スピンドルモータ４の回転の中心と並ぶ位置のレンズがＤＶＤ用のレンズ５１でない場合、即ちスピンドルモータ４の回転の中心と並ぶ位置のレンズがブルーレイディスク用のレンズ５２である場合（Ｓ１：ＮＯ）レンズ５２からディスク１００へビーム光を照射してデータの読み出しを行い、データが正常に読み出せるか否かによって、ターンテーブル３に装着されたディスク１００がブルーレイディスクであるか否かを調べる（ステップＳ４）。ターンテーブル３にブルーレイディスクが装着されていない場合（Ｓ４：ＮＯ）、モータ３４を回転させて副シャーシ２０を移動させ、ピックアップ５０の移動方向に関してスピンドルモータ４の回転の中心と並ぶ位置にＤＶＤ用のレンズ５１を移動させる（ステップＳ５）。ステップＳ４にてブルーレイディスクが装着されていた場合（Ｓ４：ＹＥＳ）、又はステップＳ５での副シャーシ２０の移動完了後、ターンテーブル３に装着されたディスク１００に対するデータの読み出し又は書き込みを開始する（ステップＳ６）。
【００６３】
以上の構成のディスク装置においては、ピックアップ５０に設けられた２つのレンズ５１及び５２を切り替えて使用することにより、２種類のディスクに対するデータの読み出し及び書き込みを行うことができる。２つのレンズ５１及び５２の切り替えは、スピンドルモータ４の回転の中心に対するピックアップ５０の位置を調整するための、副シャーシ２０を移動させる機構をそのまま利用することができるため、２種類のディスクに対するデータの読み出し及び書き込みを行う機能をディスク装置に追加することで生じるコストの増加を抑えることができる。また、更に多種のディスクに対するデータの読み出し及び書き込みを行う場合には、更に多くのレンズを一列に並べればよい。
【００６４】
なお、実施の形態２においては、レンズ５１をＤＶＤに対するデータの読み出し及び書き込みを行うためのレンズとし、レンズ５２をブルーレイディスクに対するデータの読み出し及び書き込みを行うためのレンズとしたが、これに限るものではなく、他のディスクに対するデータの読み出し及び書き込みを行うためのレンズであってもよい。また、ピックアップ５０に２つのレンズ５１及び５２を設ける構成としたが、これに限るものではなく、３つ以上のレンズを設ける構成であってもよい。
【００６５】
なお、実施の形態２に係るディスク装置のその他の構成は、実施の形態１に係るディスク装置の構成と同様であるため、対応する箇所には同じ符号を付して詳細な説明を省略する。
【図面の簡単な説明】
【００６６】
【図１】本発明の実施の形態１に係るディスク装置の構成を示す模式的平面図である。
【図２】本発明に係るディスク装置の副シャーシの支持構造を示す模式的斜視図である。
【図３】本発明に係るディスク装置のピックアップのサブガイド軸による支持構造を示す模式的斜視図である。
【図４】本発明に係るディスク装置の構成を示すブロック図である。
【図５】本発明の実施の形態２に係るディスク装置の構成を示す模式的平面図である。
【図６】本発明の実施の形態２に係るディスク装置の構成を示す模式的平面図である。
【図７】本発明の実施の形態２に係るディスク装置の制御部が行うレンズの切り替え処理の処理手順を示すフローチャートである。
【図８】従来の２レンズ方式のピックアップの構成を示す模式図である。
【符号の説明】
【００６７】
１  主シャーシ
３  ターンテーブル
４  スピンドルモータ
７  サブガイド軸（案内支持軸）
１０  ピックアップ
１１  レンズ
１２  ナット部
１３  挟持部
２０  副シャーシ
２１  棒状突起部（突起部）
２２  メインガイド軸（案内支持軸）
２３  送りねじ
２４  モータ
２５  ナット部
２６  ねじ孔
３１  壁部（支持部）
３２  案内溝（支持部）
３３  送りねじ
３４  モータ
４１  制御部（照射部移動手段、副シャーシ移動手段）
４３  位置検出部（位置検出手段）
５０  ピックアップ
５１、５２  レンズ
１００  ディスク状記録媒体
【図１】
2007128613.tif 000003
【図２】
2007128613.tif 000004
【図３】
2007128613.tif 000005
【図４】
2007128613.tif 000006
【図５】
2007128613.tif 000007
【図６】
2007128613.tif 000008
【図７】
2007128613.tif 000009
【図８】
2007128613.tif 000010